(57)【要約】【課題】ワイヤハーネスの大径化を抑制しつつ、ワイヤハーネスに磁性体コアを容易に取り付けることが可能なグロメットを提供する。【解決手段】ワイヤハーネス１０を包囲可能な筒状をなして、前記ワイヤハーネス１０の長さ方向における中間部に配されるグロメット２０であり、軸方向における両端部が前記ワイヤハーネス１０を包囲する他の外装材１２に接続される本体部２１と、前記本体部２１に設けられ、磁性体コアを収納可能な収納部２４と、を備えている。【選択図】図１
2020074314.tif 000002
【特許請求の範囲】
【請求項１】
ワイヤハーネスを包囲可能な筒状をなして、前記ワイヤハーネスの長さ方向における中間部に配されるグロメットであり、
軸方向における両端部が前記ワイヤハーネスを包囲する他の外装材に接続される本体部と、
前記本体部に設けられ、磁性体コアを収納可能な収納部と、
を備え、
前記本体部に、通気性を有する防水材を嵌合可能な貫通孔が形成されているグロメット。
【請求項２】
前記貫通孔が、前記収納部に形成されている請求項１に記載のグロメット。
【請求項３】
前記収納部が、前記磁性体コアの軸方向の両端面に当接可能な当接面を有し、前記当接面に、前記本体部の軸方向における端側に連通する通気路が設けられている請求項２に記載のグロメット。
【請求項４】
前記貫通孔が、前記収納部から外側に突出する筒状突部に形成され、
前記収納部の周面のうち前記筒状突部の根元に、前記筒状突部に連通する通気路が設けられている請求項２又は請求項３に記載のグロメット。
【発明の詳細な説明】
【技術分野】
【０００１】
本開示は、グロメットに関するものである。
【背景技術】
【０００２】
従来、車両に取り付けられるワイヤハーネスを、合成樹脂製または金属製のパイプやコルゲートチューブ等の外装材によって包囲し、防水、保護することが知られている（例えば下記特許文献１に記載）。
【０００３】
また、ノイズ吸収具として、磁性体コアをワイヤハーネスに取り付けることが知られている。例えば下記特許文献２に記載されたワイヤハーネスは、磁性体コアが合成樹脂製の収納ケースに収納され、コルゲートチューブの外側に装着されている。
【先行技術文献】
【特許文献】
【０００４】
【特許文献１】特開２０１３−６２０６３号公報
【特許文献２】特開２０１５−２７２０５号公報
【発明の概要】
【発明が解決しようとする課題】
【０００５】
しかしながら、上記のように、外装材の外側に磁性体コアを装着する構成では、磁性体コアの装着部位が大径化せざるを得ないという問題がある。かといって、外装材の端から所定の部位に磁性体コアを入れ込む作業は容易ではなく、また、外装材を分割して半割構造にすることは、防水性の低下を招くため望ましくない。
【０００６】
本開示の目的は、ワイヤハーネスの大径化を抑制しつつ、ワイヤハーネスに磁性体コアを容易に取り付けることが可能なグロメットを提供することにある。
【課題を解決するための手段】
【０００７】
本開示のグロメットは、ワイヤハーネスを包囲可能な筒状をなして、前記ワイヤハーネスの長さ方向における中間部に配されるグロメットであり、軸方向における両端部が前記ワイヤハーネスを包囲する他の外装材に接続される本体部と、前記本体部に設けられ、磁性体コアを収納可能な収納部と、を備えているものである。
【発明の効果】
【０００８】
本開示のグロメットによれば、ワイヤハーネスの大径化を抑制しつつ、磁性体コアを容易にワイヤハーネスに取り付けることができるという効果を奏する。
【図面の簡単な説明】
【０００９】
【図１】図１は、本実施例におけるワイヤハーネスを示す斜視図である。
【図２】図２は、グロメットを示す斜視図である。
【図３】図３は、グロメットを示す側面図である。
【図４】図４は、グロメットを示す底面図である。
【図５】図５は、グロメットを示す断面図であって、図３のＡ−Ａ位置における断面に相当する断面図である。
【図６】図６は、グロメットを示す断面図であって、図３のＢ−Ｂ位置における断面に相当する断面図である。
【図７】図７は、グロメットを示す断面図であって、図３のＣ−Ｃ位置における断面に相当する断面図である。
【発明を実施するための形態】
【００１０】
本開示の実施形態を以下に示す。
本開示のグロメットは、ワイヤハーネスを包囲可能な筒状をなして、前記ワイヤハーネスの長さ方向における中間部に配されるグロメットであり、軸方向における両端部が前記ワイヤハーネスを包囲する他の外装材に接続される本体部と、前記本体部に設けられ、磁性体コアを収納可能な収納部と、を備え、前記本体部に、通気性を有する防水材を嵌合可能な貫通孔が形成されているものとしてもよい。このような構成によれば、磁性体コアを外装材の外側に装着する場合に比して、ワイヤハーネスの大径化を抑制することができる。また、グロメットは、長さ寸法が短いので、磁性体コアを端から容易に収納することができる。これにより、ワイヤハーネスの大径化を抑制しつつ、磁性体コアを容易にワイヤハーネスに取り付けることができる。また、熱源となり得る磁性体コアを収納するグロメットに、通気構造部を設けることができるから、外装材の内部圧力を効果的に調整することができる。
【００１１】
また、本開示のグロメットは、前記貫通孔が、前記収納部に形成されているものとしてもよい。このような構成によれば、通気構造部と収納部とを長さ方向にずらして設ける場合に比して、本体部の長さ寸法を小さく抑えることができ、また通気構造部が磁性体コア近傍に配されるので、外装材の内部圧力をより効果的に調整することができる。
【００１２】
また、本開示のグロメットは、前記収納部が、前記磁性体コアの軸方向の両端面に当接可能な当接面を有し、前記当接面に、前記本体部の軸方向における端側に連通する通気路が設けられているものとしてもよい。このような構成によれば、磁性体コアが当接面に当接しても、通気構造部への通気が妨げられないから、外装材の内部圧力を調整する機能が低下することを防ぐことができる。
【００１３】
また、本開示のグロメットは、前記貫通孔が、前記収納部から外側に突出する筒状突部に形成され、前記収納部の周面のうち前記筒状突部の根元に、前記筒状突部に連通する通気路が設けられているものとしてもよい。このような構成によれば、収納部の周面のうち筒状突部の根元に磁性体コアが当接しても、通気構造部への通気が妨げられないから、外装材の内部圧力を調整する機能が低下することを防ぐことができる。
【００１４】
＜実施例＞
以下、本開示のグロメットを具体化した一実施例について、図１〜図７を参照しつつ詳細に説明する。
【００１５】
本実施例におけるワイヤハーネス１０は、ハイブリッド自動車等に取り付けられる高圧用ワイヤハーネスであり、大部分が車体の床下に配索されるものである。ワイヤハーネス１０は、両端部にコネクタ１１が接続されるとともに、外装材１２によって包囲されており、外装材１２の内部は完全に密閉されている。外装材１２は、複数の電線１３を一括して包囲可能な金属製または樹脂製のパイプ、スリット無しのコルゲートチューブ、またコネクタ１１に密着可能な防水カバー等を備えている。
【００１６】
ワイヤハーネス１０は、ワイヤハーネス１０を包囲可能な筒状をなして、ワイヤハーネス１０の長さ方向における中間部に配されるグロメット２０と、グロメット２０の収納部２４に収納された磁性体コア４０とを備えている。
【００１７】
磁性体コア４０は、複数の電線１３が一括して挿通される中空部４１を有した環状をなしている。磁性体コア４０は、図５に示すように、断面長円形状をなし、外周面は、断面長手方向における両端に位置する第１外面４２と、短手方向における両端に位置する第２外面４３を有している。一対の第１外面４２は円弧面とされ、一対の第２外面４３は互いに略平行な面とされている。中空部４１は長円形状をなし、磁性体コア４０の厚さ寸法は全周において概ね一定とされている。
【００１８】
グロメット２０は、ゴム等の弾性材料からなり、軸方向における両端部が外装材１２に接続される本体部２１を有している。本体部２１は、断面円形状（円筒状）をなしている。グロメット２０は、軸方向（長さ方向）における中心を基準に対称な形状をなし、取付方向を自在に変えることができる。
【００１９】
本体部２１の軸方向における両端部（以後、接続部２２と称する）は、外装材１２の端部の外側に嵌合可能とされている（図７参照）。接続部２２の内周面には、複数（３つ）のリップ部２３が突設され、外装材１２の外周面に密着するようになっている。
【００２０】
本体部２１には、磁性体コア４０を収納可能な収納部２４が設けられている。収納部２４は、本体部２１の軸方向における中心に位置している。収納部２４は、接続部２２よりも上下左右に一回り大きい円筒形状をなし、収納部２４の内部空間は、接続部２２の内部空間に比して幅寸法が大きくなっている。収納部２４の内周面は、図５に示すように、磁性体コア４０の第１外面４２に沿う円弧状をなし、磁性体コア４０は、収納部２４において３６０度回転可能とされている。また、図７に示すように、収納部２４の軸方向の長さ寸法は、磁性体コア４０の軸方向の長さ寸法に比して大きく、磁性体コア４０は、収納部２４において軸方向に移動可能とされている。
【００２１】
収納部２４は、図７に示すように、磁性体コア４０の軸方向の両端面に当接可能な当接面２５を有している。当接面２５は、本体部２１の軸方向に対して略直交する面であり、収納部２４の軸方向における両端に形成されている。当接面２５は、図５に示すように、収納部２４の全周にわたって連続した環状をなし、接続部２２の内周面よりも内側に突出している。磁性体コア４０は、当接面２５に当接することで、収納部２４から接続部２２側へ出ることが防がれる。
【００２２】
本体部２１には、通気性を有する防水材２９が嵌合可能な貫通孔２８が形成されている（図５参照）。貫通孔２８は、収納部２４から外側に突出する筒状突部２７に形成されている。
【００２３】
筒状突部２７は、円筒形状をなし、収納部２４の軸方向および幅方向における中心に突出して設けられている。筒状突部２７は、収納部２４から垂直に立ち、筒状突部２７の軸線と収納部２４の軸線とは直交している。
【００２４】
防水材２９は、通気性を有しつつ防水、防塵機能を発揮する透湿防水素材の通気膜３１と、通気膜３１を保持して筒状突部２７に密着嵌合可能な取付部品３２とを備えている。取付部品３２は、筒状突部２７に内嵌可能な円筒形状をなし、通気膜３１は、取付部品３２の端面に固定されている。
【００２５】
筒状突部２７および防水材２９を備えてなる通気構造部２６は、外装材１２の内部圧力を調整可能とされている。
グロメット２０には、本体部２１の端側（接続部２２側）と筒状突部２７との間の通気を十分に確保するための第１通気路３３および第２通気路３４が設けられている。
【００２６】
第１通気路３３は、収納部２４と接続部２２側とに連通する通気路であり、図５に示すように、当接面２５に複数（本実施例では８つ）が形成されている。第１通気路３３は、当接面２５において周方向に等間隔で配置されている。当接面２５の複数の第１通気路３３のうち１つは、当接面２５の周方向において筒状突部２７と同じ位置に配されている。各第１通気路３３は、当接面２５の内周縁側に開放された半円形状をなしている。第１通気路３３の面積は、当接面２５において最も大きく、本体部２１の端に向かって次第に小さくなっている。第１通気路３３は、収納部２４の両当接面２５において同位置、同数、同形状に形成されている。
【００２７】
第１通気路３３は、図５に示すように、収納部２４の端部に形成された突起部３５の内部空間である。各突起部３５は、幅寸法および高さ寸法（本体部２１からの突出寸法）が、収納部２４側から接続部２２側に向かって次第に小さくなっている。すべての突起部３５は同形状をなしている。
【００２８】
第２通気路３４は、図５に示すように、収納部２４と筒状突部２７とに連通する通気路であり、収納部２４の周面のうち筒状突部２７の根元に形成されている。第２通気路３４は、収納部２４から径方向の外側に広がるとともに、筒状突部２７から径方向の外側に広がって形成されている。
【００２９】
第２通気路３４は、収納部２４のうち筒状突部２７の根元部分に設けられた膨出部３６の内部空間である。膨出部３６は、収納部２４から部分的に外側に膨出した形態をなし、筒状突部２７の軸線に対して略直交する第１壁部３７と、第１壁部３７の周縁から収納部２４に傾斜して連なる第２壁部３８とを有している。第１壁部３７は、図７に示すように、筒状突部２７の全周から外側に張り出した円環状をなし、第２壁部３８は、第１壁部３７の全周からほぼ同勾配で収納部２４に下っている。
【００３０】
第１通気路３３および第２通気路３４が設けられることによって、収納部２４において磁性体コア４０がどの位置にどのような向きで配されても、磁性体コア４０とグロメット２０との間に十分な空気の通り道（通気膜３１の面積よりも大きい面積を有する空間）が確保されるようになっている。すなわち磁性体コア４０が、図７に示すように、収納部２４の軸方向における端に配され、磁性体コア４０の軸方向の端面が当接面２５に突き当たったとしても、第１通気路３３によって、グロメット２０と磁性体コア４０との間に十分な空気の通り道が確保される。また、図５に示すように、磁性体コア４０が、通気構造部２６の直下（収納部２４の軸方向における中心位置）に配され、第１外面４２が筒状突部２７の根元を塞ぐような向きで配された場合であっても、第２通気路３４によって、グロメット２０と磁性体コア４０との間に十分な空気の通り道が確保される。
【００３１】
次に、本実施例におけるワイヤハーネス１０の組み立て作業の一例を説明する。
まず、グロメット２０に磁性体コア４０を収納する。グロメット２０の端から磁性体コア４０を内部に入れ込む。グロメット２０の接続部２２が弾性的に拡開され、磁性体コア４０は収納部２４に収納される。収納部２４に収納された磁性体コア４０は、中空部４１がグロメット２０の軸線と同一方向に開口し、一対の第１外面４２が収納部２４の内周面に沿った姿勢で配される。
【００３２】
次いで、外装材１２を接続する。グロメット２０の接続部２２の内側に外装材１２の端部を嵌合し、結束バンド等の固定部材（図示せず）を外周に巻き付けて固定する。グロメット２０の接続部２２は、外装材１２の端部に密着した状態になる。グロメット２０の両端部に外装材１２を接続することにより、異なる外装材１２がシール状態で接続される。
【００３３】
次に、外装材１２に電線１３を通す。電線１３の両端部のうち一方の端部に端子金具（図示せず）を接続し、端子金具が接続されていない側の端部から外装材１２に通す。束ねられた複数の電線１３を外装材１２およびグロメット２０（磁性体コア４０の中空部４１）に挿通し、電線１３の端部を外装材１２から引き出す。
【００３４】
次に、電線１３の端部にコネクタ１１を接続する。外装材１２から引き出された電線１３の端部に端子金具を接続し、電線１３の両端部に接続された端子金具をそれぞれ順にコネクタ１１に挿入する。
【００３５】
次いで、外装材１２の端部（防水カバー）をコネクタ１１に被せ付ける。これにより、外装材１２の内部が密閉された状態になる。
以上により、ワイヤハーネス１０の組み立て作業が完了する。
【００３６】
次に、上記のように構成された実施例の作用および効果について説明する。
本実施例のグロメット２０は、ワイヤハーネス１０を包囲可能な筒状をなしてワイヤハーネス１０の長さ方向における中間部に配されるグロメットであり、軸方向における両端部がワイヤハーネス１０を包囲する他の外装材１２に接続される本体部２１を有し、本体部２１には、磁性体コア４０を収納可能な収納部２４が備えられている。この構成によれば、磁性体コア４０を外装材１２の外側に装着する場合に比して、ワイヤハーネス１０の大径化を抑制することができる。また、グロメット２０は、長さ寸法が短いので、磁性体コア４０を端から容易に収納することができる。すなわち、本実施例のグロメット２０によれば、ワイヤハーネス１０の大径化を抑制しつつ、磁性体コア４０を容易にワイヤハーネス１０に取り付けることができる。
【００３７】
また、本体部２１に、通気性を有する防水材２９を嵌合可能な貫通孔２８が形成されている。この構成によれば、熱源となり得る磁性体コア４０を収納するグロメット２０に、通気構造部２６が設けることができるから、外装材１２の内部圧力を効果的に調整することができる。
【００３８】
また、貫通孔２８が、収納部２４に形成されている。この構成によれば、通気構造部２６と収納部２４とを長さ方向にずらして設ける場合に比して、本体部２１の長さ寸法を小さく抑えることができ、また通気構造部２６が磁性体コア４０の近傍に配されるので、外装材１２の内部圧力をより効果的に調整することができる。
【００３９】
また、収納部２４が、磁性体コア４０の軸方向の両端面に当接可能な当接面２５を有し、当接面２５に、本体部２１の軸方向における端側に連通する第１通気路３３が設けられている。この構成によれば、磁性体コア４０が当接面２５に当接しても、通気構造部２６への通気が妨げられないから、外装材１２の内部圧力を調整する機能が低下することを防ぐことができる。
【００４０】
また、貫通孔２８が、収納部２４から外側に突出する筒状突部２７に形成され、収納部２４の周面のうち筒状突部２７の根元に、筒状突部２７に連通する第２通気路３４が設けられている。この構成によれば、収納部２４の周面のうち筒状突部２７の根元に磁性体コア４０が当接しても、通気構造部２６への通気が妨げられないから、外装材１２の内部圧力を調整する機能が低下することを防ぐことができる。
【００４１】
＜他の実施例＞
本発明は上記記述及び図面によって説明した実施例に限定されるものではなく、例えば次のような実施例も本発明の技術的範囲に含まれる。
【００４２】
（１）上記実施例では、グロメット２０が通気構造部２６を備えているが、必ずしもグロメットに通気構造部を設けなくてもよい。
（２）上記実施例では、通気構造部２６の具体的な構造を示したが、これに限らず、通気構造部の構造は任意に変更することができる。
【００４３】
（３）上記実施例では、通気構造部２６が収納部２４に設けられているが、これに限らず、通気構造部を、収納部と軸方向にずれた位置に設けても良い。
（４）上記実施例では、貫通孔２８が筒状突部２７に形成されているが、これに限らず、貫通孔は、例えば本体部に突部を設けることなく貫通形成してもよい。
【００４４】
（５）上記実施例では、収納部２４が、磁性体コア４０の軸方向の両端面に当接可能な当接面２５を有しているが、これに限らず、必ずしも収納部に当接面を設けなくてもよく、例えば、収納部の縮径方向の弾性力で磁性体コアを保持するようにしてもよい。
【００４５】
（６）上記実施例では、第１通気路３３の形状、数、位置等を例示したが、これに限らず、第１通気路の形状等は任意に変更することができる。
（７）上記実施例では、第２通気路３４の形状等を例示したが、これに限らず、第２通気路の形状等は任意に変更することができる。
【符号の説明】
【００４６】
１０…ワイヤハーネス
１２…外装材
２０…グロメット
２１…本体部
２４…収納部
２５…当接面
２７…筒状突部
２８…貫通孔
２９…防水材
３３…第１通気路（本体部の長さ方向における端側に連通する通気路）
３４…第２通気路（筒状突部に連通する通気路）
４０…磁性体コア
【図１】
2020074314.tif 000003
【図２】
2020074314.tif 000004
【図３】
2020074314.tif 000005
【図４】
2020074314.tif 000006
【図５】
2020074314.tif 000007
【図６】
2020074314.tif 000008
【図７】
2020074314.tif 000009
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
電線を包囲する第１外装材と、前記電線を包囲するとともに前記電線の長さ方向において前記第１外装材と離れて設けられた第２外装材とに接続可能な筒状のグロメットであって、
前記電線を包囲するとともに、前記第１外装材と前記第２外装材とに接続される本体部を有し、
前記本体部は、磁性体コアを収納可能な収納部と、通気性を有する防水材を嵌合可能な貫通孔とを有するグロメット。
【請求項２】
前記貫通孔は、前記収納部に形成されている請求項１に記載のグロメット。
【請求項３】
前記収納部は、前記磁性体コアの軸方向の両端面に当接可能な当接面を有し、
前記当接面には、前記本体部の軸方向における端側に連通する第１通気路が設けられている請求項２に記載のグロメット。
【請求項４】
前記貫通孔は、前記収納部から外側に突出する筒状突部に形成されており、
前記収納部の周面のうち前記筒状突部の根元には、前記筒状突部に連通する第２通気路が設けられている請求項２又は請求項３に記載のグロメット。
【請求項５】
電線と、
前記電線を包囲する第１外装材と、
前記電線を包囲するとともに前記電線の長さ方向において前記第１外装材と離れて設けられた第２外装材と、
前記電線を包囲するとともに、前記第１外装材と前記第２外装材とに接続された筒状の本体部を有するグロメットと、
前記電線の外側に設けられるとともに前記グロメットに収容された磁性体コアと、
を有し、
前記本体部は、前記磁性体コアを収納した収納部と、通気性を有する防水材を嵌合可能な貫通孔とを有するワイヤハーネス。
【手続補正３】
【補正対象書類名】明細書
【補正対象項目名】０００１
【補正方法】変更
【補正の内容】
【０００１】
本開示は、グロメット及びワイヤハーネスに関するものである。
【手続補正４】
【補正対象書類名】明細書
【補正対象項目名】０００６
【補正方法】変更
【補正の内容】
【０００６】
本開示の目的は、ワイヤハーネスの大径化を抑制しつつ、磁性体コアを容易に取り付けることが可能なグロメット及びワイヤハーネスを提供することにある。
【手続補正５】
【補正対象書類名】明細書
【補正対象項目名】０００７
【補正方法】変更
【補正の内容】
【０００７】
本開示のグロメットは、電線を包囲する第１外装材と、前記電線を包囲するとともに前記電線の長さ方向において前記第１外装材と離れて設けられた第２外装材とに接続可能な筒状のグロメットであって、前記電線を包囲するとともに、前記第１外装材と前記第２外装材とに接続される本体部を有し、前記本体部は、磁性体コアを収納可能な収納部と、通気性を有する防水材を嵌合可能な貫通孔とを有する。
本開示のワイヤハーネスは、電線と、前記電線を包囲する第１外装材と、前記電線を包囲するとともに前記電線の長さ方向において前記第１外装材と離れて設けられた第２外装材と、前記電線を包囲するとともに、前記第１外装材と前記第２外装材とに接続された筒状の本体部を有するグロメットと、前記電線の外側に設けられるとともに前記グロメットに収容された磁性体コアと、を有し、前記本体部は、前記磁性体コアを収納した収納部と、通気性を有する防水材を嵌合可能な貫通孔とを有する。
【手続補正６】
【補正対象書類名】明細書
【補正対象項目名】０００８
【補正方法】変更
【補正の内容】
【０００８】
本開示のグロメット及びワイヤハーネスによれば、ワイヤハーネスの大径化を抑制しつつ、磁性体コアを容易に取り付けることができるという効果を奏する。